(57)【要約】      （修正有）【課題】桐材或いはこの桐材と同様の特性を有する木材を有効に活用して、抗堪性、耐火性及び耐水性を兼ね備えた保管庫及びこの保管庫を用いた可搬式診療装置を提供する。【解決手段】保管庫本体１１０は、外側筐体１１０ａ、この外側筐体内に嵌装した中側筐体１１０ｂ及びこの中側筐体内に嵌装した内側筐体１１０ｃの三層構造からなる。また、外蓋１２０は、四角環状枠体１２０ａ及びこの枠体の上端開口部に嵌着した蓋壁１２０ｂでもって構成されている。蓋壁は、内壁部１２４上に中壁部１２５及び外壁部１２６を順次積層して三層構造に構成されている。外側筐体、枠体及び外壁部は、桐板にメタルシリコン系難燃溶液を含浸して形成されている。中側筐体及び中壁部は、鉄板で形成されている。内側筐体及び内壁部は杉板で形成されている。枠体の下端開口部及び保管庫本体の上端開口部は、互いに気密的に嵌合するように、断面階段形状に形成されている。【選択図】図４
2007085008.tif 000002
【特許請求の範囲】
【請求項１】
保管物を収納するための保管庫本体と、この保管庫本体の上端開口部に開閉可能に設けられる蓋とを備える保管庫において、
前記保管庫本体は、
桐材或いはこの桐材と同様の特性を有する木材に難燃溶液を含浸して形成される外側筐体と、
この外側筐体内に嵌装されて鉄板或いはこの鉄板と同様の特性を有する金属板で形成してなる中側筐体と、
この中側筐体内に嵌装されて木材で形成してなる内側筐体とを備えて、
前記上端開口部を、前記各筐体の全上端開口部でもって構成してなり、
前記蓋は、
桐材或いはこの桐材と同様の特性を有する木材に難燃溶液を含浸して形成される中空状枠体と、
この枠体の上端開口部内に嵌着されてなる蓋壁であって、木材からなる内壁部、この内壁部上に積層されて鉄板或いはこの鉄板と同様の特性を有する金属板で形成してなる中壁部及びこの中壁部上に積層されて桐材或いはこの桐材と同様の特性を有する木材からなる外壁部でもって構成される蓋壁とを備えており、
前記枠体の下端開口部及び前記各筐体の全上端開口部は、それぞれ、互いに気密的に嵌合する嵌合形状に形成されていることを特徴とする保管庫。
【請求項２】
前記蓋が前記保管庫本体の上端開口部に対し上下方向に傾斜状に回動するように、前記枠体の下端開口部及び前記各筐体の全上端開口部は、その各対応端部にて、互いに支持されており、
前記各筐体の全上端開口部の嵌合形状は、前記内側筐体側から前記外側筐体側にかけて断面階段形状となっており、前記枠体の下端開口部の嵌合形状は、前記内側筐体側から前記外側筐体側にかけて前記断面階段形状とは逆の断面階段形状となっていることを特徴とする請求項１に記載の保管庫。
【請求項３】
前記各筐体の全上端開口部のうち前記内側筐体の上端開口部は、前記外側及び中側の両筐体の各上端開口部よりも上方へ筒状に突出しており、
前記枠体の下端開口部が前記内側筐体の筒状上端開口部に気密的に嵌合するように当該筒状上端開口部の外形寸法に合わせて筒状に形成されていることを特徴とする請求項１に記載の保管庫。
【請求項４】
請求項１〜３のいずれか１つに記載の保管庫と、
この保管庫に収納してなる診療用測定器、端末及び電源その他の医療に必要な部材とを備えることを特徴とする可搬式診療装置。
【請求項５】
請求項１又は２のいずれか１つに記載の保管庫と、
この保管庫に収納してなる診療用測定器、端末及び電源その他の医療に必要な部材とを備え、
前記保管庫は、前記保管庫本体の上端開口部内にこの上端開口部を開閉可能に設けられた内蓋と、前記保管庫本体の下面に設けられたキャスター手段とを備えており、
前記端末は、前記内蓋の面に固定されていることを特徴とする可搬式診療装置。
【請求項６】
前記保管庫本体の周壁に横方向に変位可能にかつ立設状に支持される支持体を備え、
前記内蓋は、その基端部にて、前記保管庫本体の内側筐体の上端開口部に前記支持体側にて上下方向へ傾斜状に回動可能に支持されており、
前記端末は、前記内蓋の下面に固定されており、
前記内蓋が開かれるとき、前記保管庫本体の周壁から前記支持体を横方向に変位させることで、前記内蓋を前記支持体により下方から支持するようにしたことを特徴とする請求項５に記載の可搬式診療装置。
【発明の詳細な説明】
【技術分野】
【０００１】
本発明は、色々な保管物を収納する保管庫及びこの保管庫を用いてなる可搬式診療装置に関する。
【背景技術】
【０００２】
近年、震災、火災や風水害等による大きな災害がしばしば発生している。例えば、大震災が発生すると、大病院等の医療機関の建物は倒壊しなくとも、この建物内に設置されていた各種の医療機器やコンピュータ等の支援機器が破壊されてしまう。これは、当該医療機器やコンピュータ等の支援機器が抗堪性に欠けることによる。
【０００３】
また、上述した医療機器やコンピュータ等の支援機器が破壊されなくても、大震災の発生に伴い火災が起きると、当該医療機器やコンピュータ等の支援機器が、焼失してしまう。これは、当該医療機器やコンピュータ等の支援機器が耐火性に欠けることによる。このようなことは、震災とは関係なく別途火災が発生しても同様である。
【０００４】
また、上述した医療機器やコンピュータ等の支援機器が破壊されなくても、大震災の発生に伴い大きな津波が発生するか、液状化現象の発生により、当該医療機器やコンピュータ等の支援機器が、水害にあって、使用不能となってしまう。これは、当該医療機器やコンピュータ等の支援機器が耐水性に欠けることによる。このようなことは、震災とは関係なく別途水害が発生しても同様である。
【０００５】
従って、上述のような災害から医療機器やコンピュータ等の支援機器を保護するためには、当該医療機器やコンピュータ等の支援機器を適宜な保管庫に収納しておくことが考えられる。
【０００６】
このような保管庫の一例としては、下記特許文献１に開示された耐火収納庫が挙げられる。この耐火収納庫は、外側筐体の内側に緩衝層を介し内側筐体を収容して構成されている。ここで、外側筐体は、鉄板からなる外壁の内側に、不燃液を含浸してなる吸水性耐火板を介し、鉄板からなる内壁を積層して構成されている。また、内側筐体は、耐湿性或いは断湿性の断熱材からなる桐パーテェクル板でもって構成されている。また、緩衝層は、耐湿性或いは断湿性を有する断熱性弾性部材、例えば、グラスファイバーでもって構成されている。
【特許文献１】特開平０８−２１４９３２号公報
【発明の開示】
【発明が解決しようとする課題】
【０００７】
ところで、上述した耐火収納庫においては、外側筐体のうち、鉄板からなる外壁が外部に直接晒されることになる。ここで、鉄板は外部からの衝撃や熱に弱く変形し易い。
【０００８】
このため、上述のような震災や火災に伴い、耐火収納庫が外部から衝撃や熱を受けると、この耐火収納庫は、その外壁から変形し破壊されたりつぶれたりしていく。
【０００９】
また、上述のごとく、耐火収納庫においては、外側筐体のうち、鉄板からなる外壁が外部に直接晒される。ここで、当該外側筐体の外壁を構成する鉄板は、耐水性に欠ける。このため、上述のような津波や水害に伴い、耐火収納庫が水に晒されると、この耐火収納庫内には、水が、外側筐体の外壁を構成してなる隣り合う鉄板の合わせ目を通して浸入し易い。
【００１０】
以上のようなことは、外側筐体が、上述のような材料からなる三層構造であっても、特に変わりはない。これは、外側筐体の外壁自体が鉄板でもって構成されているためである。
【００１１】
従って、耐火収納庫は、上述した抗堪性、耐火性及び耐水性に欠けるため、このような耐火収納庫内に医療機器やコンピュータ等の支援機器を収納しておいても、当該医療機器やコンピュータ等の支援機器を上述した災害から適切に保護することはできず、このような医療機器やコンピュータ等の支援機器では、被災者の診療には役に立たないという不具合を招く。
【００１２】
また、耐火収納庫を、上述のような医療機器やコンピュータ等の支援機器の収納に利用するのではなく、例えば、金庫として利用するとしても、当該金庫は、その収容物を上述した災害から適切に保護するのには、同様に、役立たないという不具合を招く。
【００１３】
そこで、本発明は、以上のようなことに対処するため、桐材或いはこの桐材と同様の特性を有する木材を有効に活用して、抗堪性、耐火性及び耐水性を兼ね備えた保管庫及びこの保管庫を用いた可搬式診療装置を提供することを目的とする。
【課題を解決するための手段】
【００１４】
上記課題の解決にあたり、本発明に係る保管庫は、請求項１の記載によれば、
保管物を収納するための保管庫本体（１１０）と、この保管庫本体の上端開口部に開閉可能に設けられる蓋（１２０）とを備える。
【００１５】
当該保管庫において、
保管庫本体は、
桐材或いはこの桐材と同様の特性を有する木材に難燃溶液を含浸して形成される外側筐体（１１０ａ、１１０ｅ、１１０ｈ）と、
この外側筐体内に嵌装されて鉄板或いはこの鉄板と同様の特性を有する金属板で形成してなる中側筐体（１１０ｂ、１１０ｆ、１１０ｉ）と、
この中側筐体内に嵌装されて木材で形成してなる内側筐体（１１０ｃ、１１０ｇ、１１０ｊ）とを備えて、
上記上端開口部を、各筐体の全上端開口部でもって構成してなり、
蓋は、
桐材或いはこの桐材と同様の特性を有する木材に難燃溶液を含浸して形成される中空状枠体（１２０ａ、１２０ｄ〜１２０ｆ）と、
この枠体の上端開口部内に嵌着されてなる蓋壁であって、木材からなる内壁部（１２４）、この内壁部上に積層されて鉄板或いはこの鉄板と同様の特性を有する金属板で形成してなる中壁部（１２５）及びこの中壁部上に積層されて桐材或いはこの桐材と同様の特性を有する木材からなる外壁部（１２６）でもって構成される蓋壁（１２０ｂ）とを備えており、
枠体の下端開口部及び各筐体の全上端開口部は、それぞれ、互いに気密的に嵌合する嵌合形状に形成されていることを特徴とする。
【００１６】
これによれば、保管庫の各構成部材のうち外部に対向する構成部材は、保管庫本体の外側筐体及び蓋である。また、保管庫本体は、外側筐体、中側筐体及び内側筐体の三層構造で構成されているとともに、蓋の蓋壁は、内壁部、中壁部及び外壁部の三層構造で構成されている。
【００１７】
しかも、保管庫本体では、外側筐体が、桐材或いはこの桐材と同様の特性を有する木材で形成され、中側筐体が、鉄板或いはこの鉄板と同様の特性を有する金属板で形成され、内側筐体が木材で形成されている。また、蓋では、枠体及び外壁部が、桐材或いはこの桐材と同様の特性を有する木材で形成され、中壁部が、鉄板或いはこの鉄板と同様の特性を有する金属板で形成され、内壁部が木材で形成されている。
【００１８】
従って、外部から強い衝撃力が保管庫に加わると、この保管庫は、上記三層構造のもとに、外側筐体、枠体や蓋壁の外壁部にて、上記強い衝撃力を外力として受けることになる。
【００１９】
しかし、外側筐体、枠体や蓋壁の外壁部は、上述のごとく、桐材或いはこの桐材と同様の特性を有する木材で形成されている。また、当該木材の厚さが、上述の強い衝撃力を十分にかつ緩やかに緩和吸収し得る厚さであれば、上述の外力は、桐板或いはこの桐材と同様の特性を有する木材からなる外側筐体、枠体や蓋壁の外壁部により、その固有の特性及び板厚でもって、上記外力を受けた部位を中心として応力分散し、良好にかつ緩やかに緩和吸収されて、中側筐体や蓋壁の中壁部に伝わる。従って、当該中側筐体や蓋壁の中壁部が塑性変形したりすることがない。
【００２０】
しかして、上述のように中側筐体や蓋壁の中壁部は木材よりも堅い上記金属板からなることから、上述のように伝わる外力は、中側筐体や蓋壁の中壁部によりさらに急激に緩和吸収されて内側筐体や蓋壁の内壁部に伝わる。
【００２１】
然る後、上述のように内側筐体や蓋壁の内壁部は、木材で形成されているため、上述のように内側筐体や蓋壁の内壁部に伝わる外力は、内側筐体や蓋壁の内壁部により緩和吸収され得る。
【００２２】
以上のような過程を経て、上述の強い衝撃力は、上述の三層構造からなる保管庫本体や蓋によって、良好に緩和吸収され得る。このことは、保管庫が良好な抗堪性を有することを意味する。
【００２３】
また、外側筐体、枠体や蓋壁の外壁部が、上述のごとく、桐材或いはこの桐材と同様の特性を有する木材に難燃溶液を含浸して形成されている。このため、外側筐体、枠体や蓋壁の外壁部は高い温度の耐火性に優れている。従って、火災が発生しても、外側筐体、枠体や蓋壁の外壁部は燃えにくい。
【００２４】
しかも、保管庫本体及び蓋は上述のような三層構造に構成され、かつ、中側筐体及び蓋壁の中壁部は、鉄板或いはこの鉄板と同様の特性を有する金属板で形成されている。このため、外側筐体及び蓋壁の外壁部の高い温度の耐火性と相まって、保管庫の耐火性がさらに向上する。このことは、保管庫は、優れた耐火性を有することを意味する。
【００２５】
また、外側筐体、枠体や蓋壁の外壁部は、上述のごとく、桐材或いはこの桐材と同様の特性を有する木材で形成されている。この木材は、耐湿性に富むという特性を有する。しかも、枠体の下端開口部及び各筐体の全上端開口部は、それぞれ、互いに気密的に嵌合する嵌合形状に形成されている。
【００２６】
このような前提のもと、桐材或いはこの桐材と同様の特性を有する木材がその耐湿性に起因して浸水に対して膨張する特性を発揮することで、外側筐体、枠体や蓋壁の外壁部が浸水に対しても耐水性を良好に発揮し得る。このことは、保管庫が優れた耐水性を有することを意味する。
【００２７】
その結果、当該保管庫は、重要な物を良好に保管する金庫その他の保管庫として使用するのに有効である。
【００２８】
また、本発明は、請求項２の記載によれば、請求項１に記載の保管庫において、
蓋が保管庫本体の上端開口部に対し上下方向に傾斜状に回動するように、枠体の下端開口部及び各筐体の全上端開口部は、その各対応端部にて、互いに支持されており、
各筐体の全上端開口部の嵌合形状は、内側筐体側から外側筐体側にかけて断面階段形状となっており、枠体の下端開口部の嵌合形状は、内側筐体側から外側筐体側にかけて上記断面階段形状とは逆の断面階段形状となっていることを特徴とする。
【００２９】
これにより、蓋と保管庫本体との間の嵌め合わせ部分（嵌合部分）の気密性がより一層具体的に確保され、その結果、請求項１に記載の発明の作用効果がより一層向上され得る。
【００３０】
また、本発明は、請求項３の記載によれば、請求項１に記載の保管庫において、
各筐体の全上端開口部のうち内側筐体の上端開口部は、外側及び中側の両筐体の各上端開口部よりも上方へ筒状に突出しており、
枠体の下端開口部が内側筐体の筒状上端開口部に気密的に嵌合するように当該筒状上端開口部の外形寸法に合わせて筒状に形成されていることを特徴とする。
【００３１】
このような構成により、蓋が、枠体の下端開口部にて、内側筐体の筒状上端開口部に気密的に嵌合する。その結果、本請求項３に記載の発明によっても、耐水性を良好に確保しつつ、請求項１に記載の発明のその他の作用効果が達成され得る。
【００３２】
また、本発明に係る可搬式診療装置は、請求項４の記載によれば、
請求項１〜３のいずれか１つに記載の保管庫（１００）と、
この保管庫に収納してなる診療用測定器（３００）、端末（４００）及び電源（５００）その他の医療に必要な部材とを備えることを特徴とする。
【００３３】
これにより、例えば、大震災による地震、火災、津波や液状化現象が発生しても、保管庫は、上述のごとく、抗堪性、耐火性及び耐水性に優れるので、医療に必要な部材は、被災することなく、保管庫により良好に保管され得る。また、当該保管庫の形成材料の大半が木材であることから、軽く、可搬式に優れる。従って、当該診療装置を大震災の発生による被災地に容易に移動させることができる。
【００３４】
よって、当該診療装置に収納してある医療に必要な部材を用いて、多数の被災者の診療が、タイミングよく、迅速にかつ容易に行い得る。また、上記医療に必要な部材のうち電力を要する部材にあっては、保管庫に収納してある電源の電力を利用できる。従って、商用電源が、当該診療装置の近くになかったり、大震災のために使用不能となっていても、これにかかわりなく、上記医療に必要な部材を用いて診療を行うことが可能である。
【００３５】
このことは、当該診療装置は、多数の被災者の緊急時の診療装置として有益であることを意味する。
【００３６】
また、本発明に係る可搬式診療装置は、請求項５の記載によれば、
請求項１又は２のいずれか１つに記載の保管庫（１００）と、
この保管庫に収納してなる診療用測定器（３００）、端末（４００）及び電源（５００）その他の医療に必要な部材とを備え、
保管庫は、保管庫本体の上端開口部内にこの上端開口部を開閉可能に設けられた内蓋（１３０、１６０）と、保管庫本体の下面に設けられたキャスター手段（１１０ｄ）とを備えており、
端末は、内蓋の面に固定されていることを特徴とする。
【００３７】
これにより、請求項４に記載の発明と同様の作用効果が達成され得るのは勿論のこと、上述のように保管庫本体の下面にキャスター手段を設けることで、当該診療装置の可搬性がさらに向上し得る。また、保管庫本体の上端開口部内に開閉可能に設けられた内蓋の面に端末を固定することで、端末が、保管庫本体内で移動したりすることなく安定して保護され得る。さらに、当該内蓋によれば、上記蓋による保護と相まって、上記医療に必要な部材のうち端末以外の部材の保護が、当該部材の保管庫本体からの取り出しを可能としつつ、さらに向上され得る。
【００３８】
また、本発明は、請求項６の記載によれば、請求項５に記載の可搬式診療装置において、
保管庫本体の周壁に横方向に変位可能にかつ立設状に支持される支持体（１５０）を備え、
内蓋は、その基端部にて、保管庫本体の内側筐体の上端開口部に支持体側にて上下方向へ傾斜状に回動可能に支持されており、
端末は、内蓋の下面に固定されており、
内蓋が開かれるとき、保管庫本体の周壁から支持体を横方向に変位させることで、内蓋を支持体により下方から支持するようにしたことを特徴とする。
【００３９】
このように、支持体が保管庫本体の周壁に横方向に変位可能に支持され、内蓋が、その基端部にて、保管庫本体の内側筐体の上端開口部に支持体側にて上下方向に傾斜して開閉可能に支持されることで、開かれた内蓋が支持体により下方から支持される。このとき、端末が内蓋上に位置するので、端末の操作が容易になり、便利である。
【発明を実施するための最良の形態】
【００４０】
以下、本発明の各実施形態を図面により説明する。
（第１実施形態）
図１〜図３は、本発明が適用されてなる可搬式診療装置の第１実施形態を示している。当該可搬式診療装置は、図１〜図３にて示すごとく、保管庫１００を備えている。なお、図１において、紙面の手前側及び奥側が、当該診療装置の前側及び後側に対応する。また、図１において、図示左側及び右側が、当該診療装置の右側及び左側に対応する。また、保管庫１００の高さは、設置面から約５０ｃｍである。
【００４１】
この保管庫１００は、保管庫本体１１０を有しており、当該保管庫本体１１０は、図４〜図６から分かるように、外側筐体１１０ａ、中側筐体１１０ｂ及び内側筐体１１０ｃでもって構成されている。
【００４２】
外側筐体１１０ａは、四角筒状の周壁１１１の下端開口部を底壁１１２でもって閉じるように構成されている。周壁１１１は、前壁１１１ａ、後壁１１１ｂ、左壁１１１ｃ及び右壁１１１ｄでもって四角筒状となるように接合して構成されている。
【００４３】
ここで、前壁１１１ａは、その左右両側縁部にて、左壁１１１ｃ及び右壁１１１ｄの各前縁部に接着剤でもって接合されている。また、後壁１１１ｂは、各左右両側縁部にて、左壁１１１ｃ及び右壁１１１ｄの各後側縁部に接着剤でもって接合されている。また、底壁１１２は、その外周縁部にて、周壁１１１の下端開口部に接着剤でもって嵌合されている。
【００４４】
本第１実施形態では、周壁１１１の前壁１１１ａ、後壁１１１ｂ、左壁１１１ｃ及び右壁１１１ｄ並びに底壁１１２は、それぞれ、長方形状の桐板にメタルシリコン系難燃溶液を含浸して形成されている。
【００４５】
このように桐板を採用するのは、当該桐板は、桐タンス等に使用されているように、防湿性、耐熱性、軽量性、保温性及び耐衝撃性に富むという固有の特性を有するためである。また、上述のように、桐板にメタルシリコン系難燃溶液を含浸することとしたのは、メタルシリコン系難燃溶液は、その含浸により、桐板に良好な耐熱性を与えるためである。例えば、メタルシリコン系難燃溶液を含浸した桐板は、鉄の溶融温度に近いかなり高い耐熱温度を有し、例えば１２００℃の炎に１０分間晒されても、十分に良好な難燃性を発揮し得る。
【００４６】
また、周壁１１１及び底壁１１２を構成する各桐板としては、外部からの強い衝撃力を分散して良好に緩和或いは吸収することができ、かつ汎用性の高い板厚１２ｍｍの桐板が採用されている。
【００４７】
中側筐体１１０ｂは、外側筐体１１０ａに嵌装されているもので、この中側筐体１１０ｂは、四角筒状周壁１１３の下端開口部を底壁１１４でもって閉じるように構成されている。周壁１１３は、前壁１１３ａ、後壁１１３ｂ、左壁１１３ｃ及び右壁１１３ｄを、四角筒状となるように接合して形成されている。
【００４８】
ここで、当該周壁１１３の前壁１１３ａ、後壁１１３ｂ、左壁１１３ｃ及び右壁１１３ｄは、それぞれ、長方形状の鉄板でもって形成されており、前壁１１３ａは、左右両側縁部にて、左壁１１３ｃ及び右壁１１３ｄの各前縁部にスポット溶接でもって接合されている。また、後壁１１３ｂは、左右両側縁部にて、左壁１１３ｃ及び右壁１１３ｄの各後側縁部にスポット溶接でもって接合されている。なお、周壁１１３の上端面１１３ｅ（中側筐体１１０ｂの上端開口部の開口端面）は、周壁１１１の上端面１１１ｅ（外側筐体１１０ａの上端開口部の開口端面）と同一の面内に位置する。
【００４９】
底壁１１４は、長方形状の鉄板でもって形成されており、この底壁１１４は、その外周縁にて、周壁１１３の下端開口部にスポット溶接でもって接合して嵌合されている。なお、周壁１１３及び底壁１１４を構成する各鉄板としては、汎用性の高い板厚１．２ｍｍの鉄板が採用されている。
【００５０】
内側筐体１１０ｃは、中側筐体１１０ｂに嵌装されているもので、この内側筐体１１０ｃは、四角筒状周壁１１５の下端開口部を底壁１１６でもって閉じるように構成されている。
【００５１】
周壁１１５は、前壁１１５ａ、後壁１１５ｂ、左壁１１５ｃ及び右壁１１５ｄを、四角筒状となるように接合して形成されている。ここで、前壁１１５ａは、左右両側縁部にて、左壁１１５ｃ及び右壁１１５ｄの各前側縁部に接着剤でもって接合されている。また、後壁１１５ｂは、左右両側縁部にて、左壁１１５ｃ及び右壁１１５ｄの各後側縁部に接着剤でもって接合されている。また、底壁１１６は、その外周縁部にて、周壁１１５の下端開口部内に接着剤でもって接合されている。
【００５２】
また、内側筐体１１０ｃの周壁１１５は、その上端面１１５ｅ（内側筐体１１０ｃの上端開口部の開口端面）にて、中側筐体１１０ｂの周壁１１３の上端面１１３ｅ（中側筐体１１０ｂの上端開口部の開口端面）よりも上方に突出している。このことは、周壁１１５の上端面１１５ｅが、周壁１１３の上端面１１３ｅよりも上方に位置することを意味する。これにより、各周壁１１１、１１３及び１１５の上端面（各周壁１１１、１１３及び１１５の全上端開口部の上端面）が、全体として、図４〜図６にて例示するような断面階段状に形成される。
【００５３】
但し、周壁１１５において、上端面１１５ｅは、図４〜図６にて例示するごとく、周壁１１３の上端面１１３ｅから上方へかつ内方に向け傾斜状に形成されて、傾斜面１１５ｆとなっている。なお、保管庫本体１１０の上端開口部の開口端面が、周壁１１１の上端面１１１ｅ、周壁１１３の上端面１１３ｅ及び周壁１１５の上端面１１５ｅでもって構成される。
【００５４】
また、本第１実施形態では、周壁１１５の前壁１１５ａ、後壁１１５ｂ、左壁１１５ｃ及び右壁１１５ｄ並びに底壁１１６は、それぞれ、長方形状の杉板により形成されている。このように杉板を採用したのは、杉板が、桐板に準ずるような木材としての特性を有し、かつ当該桐板よりも曲げ応力に強く低コストであるためである。また、周壁１１５及び底壁１１６を構成する各杉板としては、汎用性の高い板厚１２ｍｍの杉板が採用されている。
【００５５】
また、保管庫本体１１０は、４つのキャスター１１０ｄを備えており、これら各キャスター１１０ｄは、それぞれ、外側筐体１１０ａの底壁１１２の四隅に装着されている。
【００５６】
当該保管庫１００は、外蓋１２０及び内蓋１３０を備えており、これら外蓋１２０及び内蓋１３０は、保管庫本体１１０の開口部を開閉する二重蓋構造を構成する。
【００５７】
外蓋１２０は、四角環状枠体１２０ａの中空部内に四角板状の蓋壁１２０ｂを嵌着して構成されており、この外蓋１２０は、図４にて示すごとく、枠体１２０ａの右端部にて、蝶番１２０ｃを介し、外側筐体１１０ａの右壁１１１ｄの上端部に上下方向に傾斜状に開閉可能に支持されている。
【００５８】
枠体１２０ａは、前後左右の枠板部を接着剤でもって四角環状に接着して形成されている。当該枠体１２０ａの各枠板部は、桐板にメタルシリコン系難燃溶液を含浸して形成されており、枠体１２０ａの下端面は、図４〜図６にて示すごとく、周壁１１１、１１３及び１１５の各上端面の全体としての断面階段形状とは、逆の断面階段形状となるように形成されている。詳細には、枠体１２０ａの下端面（枠体１２０ａ或いは外蓋１２０の下端開口部の下端面）は、周壁１１１、１１３の各上端面に接合する外側端面１２１、周壁１１５の傾斜面１１５ｆに接合する傾斜端面１２２及び周壁１１５の上端面１１５ｅに接合する内側端面１２３でもって構成されている。これは、枠体１２０ａの下端面を周壁１１１、１１３及び１１５の各上端面に気密的かつ液密的に一様に接合させるためである。換言すれば、枠体１２０ａ（外蓋１２０）の下端開口部を保管庫本体１１０の上端開口部に気密的かつ液密的に嵌合させるためである。
【００５９】
蓋壁１２０ｂは、図４〜図６にて示すごとく、内壁部１２４、中壁部１２５及び外壁部１２６を順次積層して構成されており、中壁部１２５は、内壁部１２４上に接着剤でもって接着されている。また、外壁部１２６は、中壁部１２５上に接着剤でもって接着されている。また、内壁部１２４、中壁部１２５及び外壁部１２６は、その各外周端面にて、枠体１２０ａの中空部内面に接着剤でもって接着されている。
【００６０】
なお、外壁部１２６は、厚さ１２ｍｍの桐板にメタルシリコン系難燃溶液を含浸して形成されている。また、中壁部１２５は、板厚１．２ｍｍの鉄板でもって形成されている。また、内壁部１２４は、板厚１２ｍｍの杉板でもって形成されている。
【００６１】
内蓋１３０は、桐板で形成されており、この内蓋１３０は、図５にて示すごとく、基端部１３１にて、蝶番１３０ａを介し、周壁１１５の左壁１１５ｃの上端部に上下方向に開閉可能に支持されている。また、内蓋１３０は、閉じたとき、図１〜図４にて示すごとく、その先端部１３２にて、長手状の受け部材１１７上に支持されるようになっている。ここで、長手状の受け部材１１７は、周壁１１５の右壁１１５ｄの上端部の内面に沿い前後方向に固着されている。
【００６２】
蝶番１３０ａは、両金属板１３３、１３４を金属ロッド１３５に回動可能に連結してなるもので、金属板１３３は、周壁１１５の左壁１１５ｃの上端部の内面に沿い前後方向に装着されている。
【００６３】
また、金属板１３４は、金属ロッド１３５から内蓋１３０の基端部１３１に向けて延出してなるもので、この金属板１３４は、各周壁１１１、１１３及び１１５の上端面に一様に当接するような断面階段形状に形成されている。
【００６４】
具体的には、金属板１３４は、基板部１３４ａ、内板部１３４ｂ、傾斜板部１３４ｃ及び外板部１３４ｄでもって構成されている。基板部１３４ａは、金属ロッド１３５から回動可能に延出している。内板部１３４ｂ、傾斜板部１３４ｃ及び外板部１３４ｄは、内板部１３４ｂから外板部１３４ｄにかけて、左壁１１５ｃ、１１３ｃ及び１１１ｃの各上端面に一様に当接するように、断面階段状に形成されている。
【００６５】
換言すれば、基板部１３４ａを金属板１３３に沿わせるように金属板１３４を回動させたとき、内板部１３４ｂ、傾斜板部１３４ｃ及び外板部１３４ｄが、それぞれ、左壁１１５ｃ、１１３ｃ及び１１１ｃの各上端面に一様に当接するように、金属板１３４の断面形状が、断面階段状に形成されている。なお、金属板１３３、１３４及び金属ロッド１３５は、鉄でもって形成されている。
【００６６】
また、保管庫１００は、両ストッパー部材１４０及び支持体１５０を備えている。両ストッパー部材１４０は、長手状のもので、これら両ストッパー部材１４０は、図２にて示すごとく、内蓋１３０の対角線方向に沿い互いに平行となるように、内蓋１３０の外面１３６上に突設されている。
【００６７】
支持体１５０は、図２或いは図３にて示すごとく、支持板１５０ａと、キャスター１５０ｂとを備えており、支持板１５０ａは、その基端部にて、蝶番１５０ｃを介し、外側筐体１１０ａの左壁１１１ｃの後端部に横方向に回動可能に支持されている。なお、支持板１５０ａは、両ストッパー部材１４０の各対向面の間隔よりも幾分狭い板厚を有する。
【００６８】
キャスター１５０ｂは、図１及び図３にて示すごとく、支持板１５０ａの基端部から離れた位置にて当該支持板１５０ａの下端部に取り付けられている。これにより、支持板１５０ａは、設置面上においてキャスター１５０ｂにより横方向に回動可能に支持される。
【００６９】
また、当該可搬式診療装置は、図１にて示すごとく、保管庫１００内に収納してなるカメラ２００、診療用測定器３００、端末４００及び電源５００を備えている。
【００７０】
カメラ２００は、患者の患部を撮影して、この患者の患部の画像を画像データとして取得するために用いられる。診療用測定器３００は、血圧計、心拍計及び体温計からなるもので、これら血圧計、心拍計及び体温計は、患者の血圧、心拍及び体温を測定するために用いられる。
【００７１】
端末４００は、携帯型パーソナルコンピュータからなるもので、この端末４００は、図１にて示すごとく、内蓋１３０の下面に保管庫本体１１０内から着脱可能に取り付けられている。
【００７２】
当該端末４００は、カメラ２００及び診療用測定器３００に接続することにより、カメラ２００により取得された画像データ及び診療用測定器３００により計測された血圧、心拍、体温を診断データとして取得し、これらの診断データを液晶パネルの画面に表示する。
【００７３】
電源５００は、保管庫１００の底部内に収納してなるもので、この電源５００は、カメラ２００、診療用測定器３００及び端末４００に接続されて電力を供給する。なお、電源５００は、当該可搬式診療装置に専用の電源である。
【００７４】
また、当該可搬式診療装置は、図１にて示すごとく、保管庫１００に収納してなる緊急医療品収納箱６００を備えており、この緊急医療品収納箱６００には、緊急時に必要とされる包帯、注射器や医薬品等が収納されている。
【００７５】
以上のように構成した本第１実施形態において、大震災が、ある地域（以下、被災地ともいう）において発生すれば、医療機関の建物が倒壊しなくても、例えば、当該建物内の戸棚その他の什器が地震の揺れでもって転倒することが多い。
【００７６】
ここで、当該可搬式診療装置が、上記大震災の発生前において、保管庫１００を外蓋１２０によりきちんと閉めた状態にて、予め、上記被災地の医療機関の建造物内に配備されているものとする。このような状態では、外蓋１２０の下端開口部が保管庫本体１１０の上端開口部（各筐体１１０ａ、１１０ｂ及び１１０ｃの周壁の全上端開口部）に気密的かつ液密的に嵌合している。
【００７７】
例えば、上述のような戸棚の転倒に伴い当該戸棚が当該診療装置に当たると、この診療装置は、戸棚から強い衝撃力を外力として受ける。
【００７８】
ここで、当該診療装置の保管庫１００の各構成部材のうち外部に対向する構成部材は、上述した構成から分かるように、保管庫本体１１０の外側筐体１１０ａ及び外蓋１２０である。また、保管庫本体１１０は、外側筐体１１０ａ、中側筐体１１０ｂ及び内側筐体１１０ｃの三層構造で構成されているとともに、外蓋１２０は、枠体１２０ａと、蓋壁１２０ｂである内壁部１２４、中壁部１２５及び外壁部１２６の三層構造とで構成されている。
【００７９】
従って、保管庫１００は、上記三層構造のもとに、外側筐体１１０ａ、枠体１２０ａや蓋壁１２０ｂの外壁部１２６にて、上述した戸棚からの強い衝撃力である外力を受けることになる。
【００８０】
ここで、保管庫本体１１０では、外側筐体１１０ａ、中側筐体１１０ｂ及び内側筐体１１０ｃが、それぞれ、桐板、鉄板及び杉板で形成され、外蓋１２０では、枠体１２０ａ及び、外壁部１２６が、それぞれ、桐板で形成され、中壁部１２５及び内壁部１２４が、それぞれ、鉄板及び杉板で形成されている。
【００８１】
また、桐板は、１２ｍｍという板厚を有し、上述の強い衝撃力を分散して十分にかつ緩やかに緩和吸収し得る。このため、上述の外力は、桐板からなる外側筐体１１０ａ、枠体１２０ａや蓋壁１２０ｂの外壁部１２６により、上記外力を受けた部位を中心として応力分散し、桐板の固有の特性及び桐板の板厚でもって良好にかつ緩やかに緩和吸収されて、中側筐体１１０ｂや蓋壁１２０ｂの中壁部１２５に伝わる。従って、中側筐体１１０ｂ、枠体１２０ａや蓋壁１２０ｂの中壁部１２５が塑性変形したりすることがない。
【００８２】
しかして、上述のように中側筐体１１０ｂや蓋壁１２０ｂの中壁部１２５は木材よりも堅い鉄板からなることから、上述のように伝わる外力は、分散され、中側筐体１１０ｂや蓋壁１２０ｂの中壁部１２５によりさらに急激に緩和吸収されて内側筐体１１０ｃや蓋壁１２０ｂの内壁部１２４に伝わる。なお、中側筐体１１０ｂや蓋壁１２０ｂの中壁部１２５を形成する鉄の板厚は、上述のごとく、１．２ｍｍであるが、この板厚は、桐板からなる外側筐体１１０ａや蓋壁１２０ｂの外壁部１２６でもって上述のように緩和吸収された外力を緩和吸収するには十分である。
【００８３】
然る後、内側筐体１１０ｃや蓋壁１２０ｂの内壁部１２４は、上述のように、桐板に準ずる木材としての特性を有する杉板で形成されており、曲げ応力に強い特性を有するため、上述のように内側筐体１１０ｃや蓋壁１２０ｂの内壁部１２４に伝わる外力は、内側筐体１１０ｃや蓋壁１２０ｂの内壁部１２４により緩和吸収され得る。
【００８４】
以上のような過程を経て、上述の強い衝撃力は、上述の三層構造からなる保管庫本体１１０や外蓋１２０によって、良好に緩和吸収され得る。このことは、保管庫１００が良好な抗堪性を有することを意味する。従って、医療機関の建物内にある医療機器やコンピュータ等の支援機器が地震の影響を直接受けて破壊されて使用不能となっても、保管庫１００に収納してあるカメラ２００、診療用測定器３００、端末４００、電源５００及び緊急医療品収納箱６００は、保管庫１００により上記外力から良好に使用可能に保護され得る。
【００８５】
また、上述のような大震災の発生に伴い医療機関の建物内に火災が発生すると、当該建物内の医療機器やコンピュータ等の支援機器が直接火災の影響を受けて焼失し、使用不能となることが多い。
【００８６】
しかし、当該診療装置においては、外側筐体１１０ａ、枠体１２０ａや蓋壁１２０ｂの外壁部１２６が、上述のごとく、桐板にメタルシリコン系難燃溶液を含浸して形成されている。このため、外側筐体１１０ａ、枠体１２０ａや蓋壁１２０ｂの外壁部１２６は高い温度の耐火性に優れている。従って、上述のように医療機関の建物内に火災が発生しても、外側筐体１１０ａ、枠体１２０ａや蓋壁１２０ｂの外壁部１２６は燃えにくい。
【００８７】
しかも、保管庫本体１１０及び外蓋１２０の蓋壁１２０ｂは上述のような三層構造に構成され、かつ、中側筐体１１０ｂ及び蓋壁１２０ｂの中壁部１２５は、鉄で形成されている。このため、外側筐体１１０ａ及び蓋壁１２０ｂの外壁部１２６の高い温度の耐火性と相まって、保管庫１００の耐火性がさらに向上する。このことは、保管庫１００は、優れた耐火性を有することを意味する。
【００８８】
その結果、上述のように医療機関の建物内の医療機器やコンピュータ等の支援機器が直接火災の影響を受けて焼失して使用不能となっても、保管庫１００に収納してあるカメラ２００、診療用測定器３００、端末４００、電源５００及び緊急医療品収納箱６００は、火災の影響を受けることなく、保管庫１００により良好に使用可能に保護され得る。
【００８９】
また、上述のような大震災の発生に伴いビル建物の液状化現象で浸水したり上記被災地に津波が発生して医療機関の建物が浸水すると、当該建物内の医療機器やコンピュータ等の支援機器が直接浸水して、使用不能となることが多い。
【００９０】
しかし、当該診療装置においては、外側筐体１１０ａ、枠体１２０ａや蓋壁１２０ｂの外壁部１２６は、上述のごとく、桐板で形成されている。この桐板は、上述のごとく耐湿性に富むという特性を有する。しかも、外側筐体１１０ａの隣り合う各両壁の接合（左右両壁と前壁及び後壁との間の接合）は、接着剤でもって良好に確保されている。また、枠体１２０ａの下端開口部の保管庫本体１１０の上端開口部に対する嵌め合わせ（外側筐体１１０ａ、中側筐体１１０ｂ及び内側筐体１１０ｃの各上端開口部からなる全上端開口部に対する嵌合）は、上述のような枠体１２０ａ及び保管庫本体１１０の上端開口部（上記全上端開口部）の開口端面の各断面階段形状でもって、気密的かつ液密的に良好に確保されている。
【００９１】
このような前提のもと、桐板がその耐湿性に起因して浸水に対して膨張する特性を発揮することで、外側筐体１１０ａ、枠体１２０ａや蓋壁１２０ｂの外壁部１２６が浸水に対しても耐水性を良好に発揮し得る。このことは、保管庫１００が優れた耐水性を有することを意味する。
【００９２】
その結果、上述のように医療機関の建物内の医療機器やコンピュータ等の支援機器が直接浸水して、使用不能となっても、保管庫１００に収納してあるカメラ２００、診療用測定器３００、端末４００、電源５００及び緊急医療品収納箱６００は、浸水の影響を受けることなく、保管庫１００により良好に使用可能に保護され得る。
【００９３】
以上述べたように、当該診療装置の保管庫１００は、抗堪性、耐火性及び耐水性に優れるため、大震災による地震、火災、津波やビル建物の液状化現象の発生に起因して、つぶれたり、焼失したり、水の浸入を許したりすることがなく、当該保管庫１００は、カメラ２００、診療用測定器３００、端末４００、電源５００及び緊急医療品収納箱６００を良好に保護し得る。このことは、当該診療装置は、上記大震災にもかかわらず、良好な使用可能状態に維持されることを意味する。
【００９４】
上述のように大震災が発生すると、上記被災地では、道路の寸断、橋の破壊、家屋の倒壊等の種々の被害が発生し、多数の被災者が発生することが多い。これら被災者は、上述の被害の発生のために外傷を負ったり、心身の疲労によりさらに疾患になったりする。
【００９５】
しかし、当該診療装置は、上述のごとく、大震災にもかかわらず、良好な使用可能状態に維持されている。ここで、保管庫１００の高さは５０ｃｍ程度で扱い易い。また、保管庫１００の保管庫本体１１０では、外側筐体１１０ａ、枠体１２０ａや蓋壁１２０ｂの外壁部１２６が、木材のうちで最も軽いといわれる桐板で形成され、内側筐体１１０ｃや蓋壁１２０ｂの内壁部１２４が杉板で形成されており、中側筐体１１０ｂや蓋壁１２０ｂの中壁部１２５が、１．２ｍｍの薄い鉄で形成されているにすぎない。このため、保管庫１００、ひいては当該診療装置は、非常に軽い。しかも、保管庫１００が各キャスター１１０ｄを備えている。よって、当該診療装置は容易に持ち上げたり移動させたりすることができる。
【００９６】
従って、医療機関の建物内における診療が、上述の大震災の発生のために困難であっても、当該診療装置を、上記建物から容易に取り出して、多数の被災者の集まり易い場所に移動させることができる。
【００９７】
しかして、このように当該診療装置を、上記建物から容易に取り出して、多数の被災者の集まり易い場所に移動させた後は、次のようにして当該診療装置を使用可能状態におく。
【００９８】
まず、外蓋１２０の一部を把持して、当該外蓋１２０を、持ち上げて、図７にて二点差線で示すごとく、蝶番１２０ｃを基準に上方に回動させて開く。このとき、内蓋１３０は、保管庫１００の開口部を閉じた状態にある。このため、保管庫１００に収納してあるカメラ２００、診療用測定器３００、端末４００、電源５００及び緊急医療品収納箱６００は、内蓋１３０により外部から適切に保護され得る。
【００９９】
上述のように外蓋１２０を開いた後、支持板１５０ａを、各キャスター１５０ｂを案内として、蝶番１５０ｃを基準に外側筐体１１０ａの左壁１１１ｃから横方向に約４５°だけ回動させる（図７及び図８参照）。
【０１００】
ついで、内蓋１３０を、その一部を把持して、保管庫本体１１０の開口部内から蝶番１３０ａを基準に回動させて支持板１５０ａの上端部上に載置する。この載置は、支持板１５０ａの上端部を内蓋１３０の両ストッパー部材１４０の間に挿入させるように行う。
【０１０１】
このとき、蝶番１３０ａは、上述のように断面階段状に形成した基板部１３４ａ、内板部１３４ｂ、傾斜板部１３４ｃ及び外板部１３４ｄでもって、上述のように断面階段状に形成した内側筐体１１０ｃの左壁１１５ｃの上端面１１５ｅ及び傾斜面１１５ｆ、中側筐体１１０ｂの左壁１１３ｃの上端面１１３ｅ並びに外側筐体１１０ａの左壁１１１ｃの上端面１１１ｅに一様に密接するようにして、外板部１３４ｄにて外方に向け延出する。
【０１０２】
これにより、内蓋１３０は、蝶番１３０ａの外板部１３４ｄでもって、図７〜図９にて示すごとく、支持板１５０ａの上端部上に相対的に移動不能に、かつ外側筐体１１０ａの底壁１１２とほぼ平行に支持され得る。
【０１０３】
このとき、内蓋１３０の裏面に固定した端末４００は、内蓋１３０上に固定された状態で位置する。また、カメラ２００並びに診療用測定器３００である血圧計、心拍計及び体温計を保管庫本体１１０から取り出して端末４００に接続し、端末４００、カメラ２００並びに診療用測定器３００の血圧計、心拍計及び体温計を電源５００に接続すれば、端末４００、カメラ２００並びに診療用測定器３００の血圧計、心拍計及び体温計は使用可能状態となる。これにより、カメラ２００による被災者の患部の撮影や上記血圧計、心拍計及び体温計による被災者の血圧、心拍及び体温を測定し得る。
【０１０４】
ここで、電源５００は、当該診療装置に専用の電源として装備されているので、商用電源が、当該診療装置の近くになかったり、大震災のために使用不能となっていても、これにかかわりなく、当該電源５００の利用により、カメラ２００による撮影や上記血圧計、心拍計及び体温計による測定をなし得る。
【０１０５】
また、外蓋１２０を蝶番１２０ｃを基準に回動させて、保管庫本体１１０を外蓋１２０との嵌合により閉じれば、外蓋１２０は、診療に必要な作業台或いは上記血圧計、心拍計、体温計及びカメラの載置台として使用できて、便利である。このとき、当該診療装置の高さは５０ｃｍ程度であることから、外蓋１２０及び内蓋１３０は、共に、５０ｃｍ程度の高さにあるので、外蓋１２０を作業台や載置台として使用し易いのは勿論のこと、端末４００の操作も容易である。
【０１０６】
以上より、当該診療装置を用いれば、上述した多数の被災者の診療が、緊急時に即した状態で、円滑になされ得る。
（第２実施形態）
図１０〜図１３は、本発明が適用される可搬式診療装置の第２実施形態の要部を示している。この第２実施形態の診療装置の構成は、上記第１実施形態にて述べた診療装置とは以下の点で相違する。
【０１０７】
本第２実施形態の診療装置では、上記第１実施形態にて述べた保管庫本体１１０において、外側筐体１１０ａ、中側筐体１１０ｂ及び内側筐体１１０ｃに代えて、外側筐体１１０ｅ、中側筐体１１０ｆ及び内側筐体１１０ｇを採用した構成となっている。外側筐体１１０ｅ、中側筐体１１０ｆ及び内側筐体１１０ｇは、それぞれ、外側筐体１１０ａ、中側筐体１１０ｂ及び内側筐体１１０ｃの各形成材料と同一の材料でもって形成されている。
【０１０８】
また、本第２実施形態の診療装置では、上記第１実施形態にて述べた外蓋１２０において、四角環状枠体１２０ａに代えて、四角環状枠体１２０ｄを採用した構成となっている。
【０１０９】
また、本第２実施形態の診療装置では、上記第１実施形態にて述べた端末４００が、当該第１実施形態とは異なり、内蓋１３０の外面１３６上に載置固定されている。
【０１１０】
このように端末４００が内蓋１３０の外面１３６上に載置固定されていることから、枠体１２０ｄ内における端末４００の収納スペースを確保するため、当該枠体１２０ｄの軸方向長さは、上記第１実施形態にて述べた枠体１２０ａの軸方向長さよりも長い。これに伴い、外側筐体１１０ｅ、中側筐体１１０ｆ及び内側筐体１１０ｇの各高さは、診療装置としての高さ約５０ｃｍを確保すべく、上記第１実施形態にて述べた外側筐体１１０ａ、中側筐体１１０ｂ及び内側筐体１１０ｃの各高さよりも低くなっている。
【０１１１】
本第２実施形態の外側筐体１１０ｅ、中側筐体１１０ｆ及び内側筐体１１０ｇ並びに枠体１２０ｄのその他の構成は、上記第１実施形態にて述べた外側筐体１１０ａ、中側筐体１１０ｂ及び内側筐体１１０ｃ並びに枠体１２０ａの構成と同様である。
【０１１２】
また、本第２実施形態では、上記第１実施形態にて述べた内蓋１３０は、蝶番１３０ａ及び受け部材１１７に代えて、左右一対の長手状下側支持部材１１８及び左右一対の長手状上側支持部材１１９により支持されるようになっている。
【０１１３】
左右一対の下側支持部材１１８は、互いに同一の高さを維持するように、内側筐体１１０ｇの開口端部の左右内面に装着されている。また、左右一対の上側支持部材１１９は、左右一対の下側支持部材１１８よりも内蓋１３０の板厚だけ高い位置を維持するように、枠体１２０ｄの開口端部の左右内面に装着されている。これにより、内蓋１３０は、その左右両端部にて、左側の両支持部材１１８、１１９及び右側の両支持部材１１８、１１９の間に嵌装されて下側支持部材１１８上にその長手方向に移動可能に支持されている。
【０１１４】
支持金具１３０ｂは、後述のように、内蓋１３０を保管庫本体１１０の外側にて支持する役割を果たすもので、この支持金具１３０ｂは、上記第１実施形態にて述べた蝶番１３０ａの金属板１３４と同一の断面階段形状を有するように、鉄板で形成されている。
【０１１５】
即ち、支持金具１３０ｂは、金属板１３４の基板部１３４ａ、内板部１３４ｂ、傾斜板部１３４ｃ及び外板部１３４ｄにそれぞれ対応する基板部１３７ａ、内板部１３７ｂ、傾斜板部１３７ｃ及び外板部１３７ｄでもって、金属板１３４と同一の断面階段形状に形成されている。
【０１１６】
ここで、支持金具１３０ｂは、図１０にて示すごとく、外板部１３７ｄにて、内蓋１３０の先端部１３２にその内面側から装着されて、左右一対の下側支持部材１１８に平行に延出している。このことは、当該支持金具１３０ｂは、外板部１３７ｄから基板部１３７ａにかけて内蓋１３０の先端部１３２から延出することを意味する。なお、本第２実施形態では、上記第１実施形態にて述べた両ストッパー部材１４０は採用されていない。その他の構成は、上記第１実施形態と同様である。
【０１１７】
以上のように構成した本第２実施形態においては、保管庫の各筐体１１０ｅ、１１０ｆ、１１０ｇは、上述のごとく、各筐体１１０ａ、１１０ｂ、１１０ｃの形成材料と同一の材料でもってそれぞれ形成されている。従って、本第２実施形態の保管庫は、上記第１実施形態の保管庫と同様に、抗堪性、耐火性及び耐水性に優れる。
【０１１８】
また、当該診療装置は次のようにして使用可能状態におかれる。なお、当該診療装置が外蓋１２０を閉じた状態にあれば、内蓋１３０が、その左右両端部にて、左右の各両支持部材１１８、１１９により挟持されているので、端末４００が内蓋１３０を介し保管庫１００内にしっかりと保持され得る。
【０１１９】
このような状態において、上記第１実施形態にて述べたと同様に、外蓋１２０を開くとともに支持体１５０を横方向に回動させる。ついで、内蓋１３０を保管庫本体１１０の開口部から左右の両支持部材１１８に沿い引き出す。ついで、支持金具１３０ｂが、その基板部１３７ａ、内板部１３７ｂ及び傾斜板部１３７ｃにて、内側筐体１１０ｇの左壁（内側筐体１１０ｃの左壁１１３ｃに対応）の上端部に図１３にて示すごとく上方から嵌り込むと、内蓋１３０は、下方に変位して支持体１５０により支持板１５０ａの上端部上に支持される。このとき、端末４００は、内蓋１３０の外面１３６上に位置している。
【０１２０】
ここで、支持金具１３０ｂは、内側筐体１１０ｇ、中側筐体１１０ｆ及び外側筐体１１０ｅの各上端部で形成する断面階段形状と同様の形状となっている。このため、支持金具１３０ｂの基板部１３７ａ、内板部１３７ｂ及び傾斜板部１３７ｃが、内側筐体１１０ｇの左壁の上端部を挟み込むように、当該上端部に嵌り込む。従って、内蓋１３０は、支持板１５０ａにより下方から支持された状態にて、先端部１３２にて、支持金具１３０ｂにより内側筐体１１０ｇの上端部に変位不能にしっかりと支持され得る。
【０１２１】
また、このような状態において、外蓋１２０を閉じれば、枠体１２０ｄが、その断面階段状下端面でもって、支持金具１３０ｂの内板部１３７ｂ、傾斜板部１３７ｃ及び外板部１３７ｄの傾斜板部１３７ｃ側部位を、内側筐体１１０ｇの左壁の上端面１１５ｅ及び傾斜面１１５ｆ、中側筐体１１０ｆの左壁の上端面１１３ｅ及び外側筐体１１０ｅの左壁の上端面１１１ｅ上に押さえ込むように固定する。これにより、内蓋１３０に対する支持金具１３０ｂによる支持がより一層強化され得る。
【０１２２】
以上説明したように、当該診療装置の使用にあたり、上記第１実施形態とは異なり、内蓋１３０を保管庫１００から引き出すように構成しても、当該診療装置が使用可能状態に置かれた後は、上記第１実施形態と同様に上述した多数の被災者の診療が、緊急時に即した状態で、円滑になされ得る。その他の作用効果は、上記第１実施形態と同様である。
（第３実施形態）
図１４〜図１７は、本発明の第３実施形態の要部を示している。この第３実施形態では、上記第２実施形態において、枠体１２０ｄに代えて、四角環状枠体１２０ｅを採用し、かつ、内蓋１３０及び支持金具１３０ｂに代えて、内蓋１６０を採用した構成となっている。
【０１２３】
枠体１２０ｅは、枠体１２０ａの形成材料と同一の材料でもって、前後左右の枠板部を四角環状に接着して形成されており、この枠体１２０ｅは、その四角状中空部にて、上記第２実施形態にて述べた枠体１２０ｄに代えて、蓋壁１２０ｂに嵌着されている。
【０１２４】
この枠体１２０ｅでは、左側枠板部（以下、左側枠板部１２７という）が、上記第２実施形態とは異なり、その下端面にて、内蓋１６０の引き出し方向外端部の板厚分だけ、上方に位置するように形成されている。なお、左側枠板部１２７の下端面は、枠体１２０ｄの下端面の断面階段形状と同一である。また、枠体１２０ｅの下端面のうち左側枠板部１２７の下端面以外の部位は、枠体１２０ｄの下端面と同一の断面階段形状を有する。
【０１２５】
内蓋１６０は、桐板にメタルシリコン系難燃溶液を含浸して形成されており、この内蓋１６０は、その左右両端部にて、上記第１実施形態にて述べた内蓋１３０に代えて、左右の上下一対の支持部材１１８、１１９の間に挟持されている。
【０１２６】
当該内蓋１６０は、板部材１６０ａと、各両突部１６１、１６２及び１６３、１６４とを備えている。両突部１６１、１６２は、板部材１６０ａの引き出し方向内端部にて上下に突出形成されており、一方、両突部１６３、１６４は、板部材１６０ａの引き出し方向外端部にて上下に突出形成されている。
【０１２７】
突部１６１は、上端面１６１ａ及び傾斜面１６１ｂを有しており、これら上端面１６１ａ及び傾斜面１６１ｂは、板部材１６０ａの上面のうち傾斜面１６１ｂの近傍部位（以下、引き出し方向内端側上面近傍部位ともいう）とでもって、枠体１２０ｅの下端面の断面階段形状と同様の断面階段形状に形成されている。これにより、内蓋１６０が保管庫本体１１０から引き出されたとき、突部１６１は、上端面１６１ａ及び傾斜面１６１ｂ及び上記引き出し方向内端側上面近傍部位にて、左側枠板部１２７の下端面、即ち、内側端面１２３ａ、傾斜端面１２２ａ及び外側端面１２１ａに気密的かつ液密的に接合するようになっている。
【０１２８】
また、突部１６２は、傾斜面１６２ａ及び下端面１６２ｂを有しており、これら傾斜面１６２ａ及び下端面１６２ｂは、板部材１６０ａの下面のうち引き出し方向内端部近傍部位（以下、引き出し方向内端側下面近傍部位ともいう）とでもって、内側筐体１１０ｇの左壁の上端面１１５ｅ及び傾斜面１１５ｆ、中側筐体１１０ｆの左壁の上端面１１３ｅ並びに外側筐体１１０ｅの左壁の上端面１１１ｅからなる断面階段形状と同様の断面形状にて形成されている。これにより、内蓋１６０が保管庫本体１１０から持ち上げるようにして引き出されたとき、突部１６２は、上記引き出し方向内端側下面近傍部位、傾斜面１６２ａ及び下端面１６２ｂにて、内側筐体１１０ｇの左壁の上端面１１５ｅ及び傾斜面１１５ｆ、中側筐体１１０ｆの左壁の上端面１１３ｅ並びに外側筐体１１０ｅの左壁の上端面１１１ｅに気密的かつ液密的に接合するようになっている。
【０１２９】
また、突部１６３は、突部１６１と同様の断面形状となるように、上端面１６３ａ及び傾斜面１６３ｂを有するように形成されている。従って、上端面１６３ａ及び傾斜面１６３ｂは、板部材１６０ａの上面のうち引き出し方向外端部近傍部位（以下、引き出し方向外端側上面近傍部位ともいう）とでもって、突部１６１の上端面１６１ａ、傾斜面１６１ｂ及び上記引き出し方向内端側上面近傍部位で形成する断面階段形状と同様の断面形状に形成されている。これにより、内蓋１６０が保管庫本体１１０内に引き込まれたとき、突部１６３は、上端面１６３ａ、傾斜面１６３ｂ及び上記引き出し方向外端側上面近傍部位にて、左側枠板部１２７の内側端面１２３ａ、傾斜端面１２２ａ及び外側端面１２１ａに気密的かつ液密的に接合するようになっている。
【０１３０】
また、突部１６４は、突部１６２と同様の断面形状となるように、傾斜面１６４ａ及び下端面１６４ｂを有するように形成されている。従って、傾斜面１６４ａ及び下端面１６４ｂは、板部材１６０ａの下面のうち引き出し方向外端部近傍部位（以下、引き出し方向外端側下面近傍部位ともいう）とでもって、上記引き出し方向内端側下面近傍部位、突部１６２の傾斜面１６２ａ及び下端面１６２ｂで形成する断面階段形状と同様の断面形状に形成されている。これにより、内蓋１６０が保管庫本体１１０内に引き込まれたとき、突部１６４は、上記引き出し方向外端側下面近傍部位、傾斜面１６４ａ及び下端面１６４ｂにて、内側筐体１１０ｇの左壁の上端面１１５ｅ及び傾斜面１１５ｆ、中側筐体１１０ｆの左壁の上端面１１３ｅ並びに外側筐体１１０ｅの左壁の上端面１１１ｅに気密的かつ液密的に接合するようになっている。なお、本実施形態では、端末４００は、枠体１２０ｅ内にて、内蓋１６０上に載置固定されている。その他の構成は上記第２実施形態と同様である。
【０１３１】
以上のように構成した本第３実施形態においては、枠体１２０ｅが、枠体１２０ａの形成材料と同一の材料でもって形成されている。従って、本第３実施形態の保管庫も、上記第２実施形態にて述べた保管庫と同様に、抗堪性、耐火性及び耐水性に優れる。
【０１３２】
また、当該診療装置は次のようにして使用可能状態におかれる。なお、当該診療装置が外蓋１２０を閉じた状態では、内蓋１６０が、その左右両端部にて、左右の各両支持部材１１８、１１９により挟持されているので、端末４００が内蓋１６０を介し保管庫１００内にしっかりと保持され得る。また、上述のように外蓋１２０が閉じている状態では、枠体１２０ｅの上述のような下端面の断面形状のもと、保管庫１００の内部は、外部から液密的かつ気密的に遮断されている。
【０１３３】
このような状態において、上記第２実施形態にて述べたと同様に、外蓋１２０を開くとともに支持体１５０を横方向に回動させる。
【０１３４】
ついで、端末４００を固定してなる内蓋１６０を、持ち上げるようにして引き出し、支持板１５０ａの上端部に載置する。このとき、内蓋１６０が、上記引き出し方向内端部下面近傍部位、突部１６２の傾斜面１６２ａ及び下端面１６２ｂにて、内側筐体１１０ｇの左壁の上端面１１５ｅ及び傾斜面１１５ｆ、中側筐体１１０ｆの左壁の上端面１１３ｅ並びに外側筐体１１０ｅの左壁の上端面１１１ｅに接合するように、内蓋１６０を支持板１５０ａの上端部に載置する。
【０１３５】
然る後、保管庫本体１１０からカメラ２００、診療用測定器３００の血圧計、心拍計及び体温計を取り出す。ついで、外蓋１２０を閉じる。このとき、外蓋１２０は、枠体１２０ｅの左側枠板部１２７の下端面にて、内蓋１６０の突部１６１の上端面１６１ａ、傾斜面１６１ｂ及び上記引き出し方向内端側上面近傍部位を、左側枠板部１２７の内側端面１２３ａ、傾斜端面１２２ａ及び外側端面１２１ａに押しつけるようにして挟持する。これにより、端末４００は、支持板１５０ａの上端部上にて、内蓋１６０を介し、保管庫本体１１０に移動不能に支持され得る。
【０１３６】
このように外蓋１２０を閉じた後、カメラ２００、診療用測定器３００の血圧計、心拍計及び体温計を端末４００と共に電源５００に接続する。これにより、当該診療装置が使用可能状態におかれる。
【０１３７】
以上説明したように、上記第２実施形態にて述べた内蓋１３０及び支持金具１３０ｂ並びに枠体１２０ｄに代えて、内蓋１６０及び枠体１２０ｅを採用するようにしても、上記第２実施形態と実質的に同様の作用効果が達成され得る。
（第４実施形態）
図１８は、本発明の第４実施形態の要部を示している。この第４実施形態では、上記第２実施形態にて述べた外側筐体１１０ｅ、中側筐体１１０ｆ及び内側筐体１１０ｇに代えて、外側筐体１１０ｈ、中側筐体１１０ｉ及び内側筐体１１０ｊを採用し、かつ、枠体１２０ｄに代えて、枠体１２０ｆを採用した構成となっている。
【０１３８】
外側筐体１１０ｈ及び中側筐体１１０ｉは、上記第２実施形態にて述べた外側筐体１１０ｅの高さと同一の高さを有する。内側筐体１１０ｊは、外側筐体１１０ｈ及び中側筐体１１０ｉの高さよりも所定長さＨだけ高くなっている。このため、内側筐体１１０ｊは、その四角筒状上端開口部１１９ａにて、中側筐体１１０ｉの上端開口部よりの所定長さＨだけ上方に突出している。本第４実施形態では、外側筐体１１０ｈ及び中側筐体１１０ｉは、それぞれ、上記第２実施形態にて述べた外側筐体１１０ｅ及び中側筐体１１０ｆの各形成材料と同様の各材料でもって形成されている。但し、内側筐体１１０ｊは、上記第２実施形態とは異なり、桐板でもって、形成されている。
【０１３９】
枠体１２０ｆは、四角筒状に構成されており、この枠体１２０ｆは、上側開口部１２８ａ及び下側開口部１２８ｂを有する。これら上側開口部１２８ａ及び下側開口部１２８ｂは枠体１２０ｆに同軸的に形成されており、上側開口部１２８ａには、蓋壁１２０ｂが嵌着されている。このことは、本第４実施形態では、上記第２実施形態にて述べた外蓋１２０が、枠体１２０ｆ及び蓋壁１２０ｂでもって構成されることを意味する。
【０１４０】
また、下側開口部１２８ｂは、内側筐体１１０ｊの筒状上端開口部１１９ａに気密的かつ液密的に嵌合されるように、当該筒状上端開口部１１９ａの外形寸法に合わせて形成されている。これは、下側開口部１２８ｂと筒状上端開口部１１９ａとの間に、いわゆる茶筒の気密的な嵌め合い構造と同様の構造を利用するためである。従って、上述した所定長さＨは、下側開口部１２８ｂと筒状上端開口部１１９ａとの間の気密的かつ液密的な嵌合を十分に確保し得る値、例えば、内側筐体１１０ｊの板厚のおよそ４倍に設定されている。
【０１４１】
なお、枠体１２０ｆは、上記第２実施形態にて述べた枠体１２０ｄの形成材料と同様の形成材料でもって形成されている。また、本実施形態では、上記第２実施形態にて述べた支持体１５０の他内蓋１３０は採用されていない。これに伴い、端末４００は、上記第２実施形態にて述べたカメラ２００、診療用測定器３００、電源５００及び緊急医療品収納箱６００と共に保管庫内に収納されている。その他の構成は、上記第２実施形態と同様である。
【０１４２】
以上のように構成した本第４実施形態では、当該診療装置の保管庫１００は、枠体１２０ｆの下側開口部１２８ｂを内側筐体１１０ｊの筒状上端開口部１１９ａに嵌合させることで、予め閉じられている。
【０１４３】
ここで、下側開口部１２８ｂと筒状上端開口部１１９ａとの間の嵌め合い（嵌合）は、その嵌め合い長さを上述した所定長さＨに設定すること並びに下側開口部１２８ｂ及び筒状上端開口部１１９ａの形成材料が共に桐であることで、気密的かつ液密的に十分に確保されている。従って、当該診療装置の保管庫１００は、上記第２実施形態の保管庫と同様の耐湿性や耐水性を確保し得る。
【０１４４】
なお、外側筐体１１０ｈ、中側筐体１１０ｉ及び枠体１２０ｆは、それぞれ、上述のごとく、外側筐体１１０ｅ、中側筐体１１０ｆ及び枠体１２０ｄと同様の形成材料でもって形成されており、また、内側筐体１１０ｊは、内側筐体１１０ｇのように杉板ではなく桐板で形成されている。従って、本第４実施形態の保管庫も、上記第２実施形態の保管庫と同様の抗堪性及び耐火性を有することは勿論である。
【０１４５】
また、当該診療装置の使用可能にあたっては、外蓋１２０の下側開口部１２８ｂを内側筐体１１０ｊの筒状上端開口部１１９ａから引き抜くことで、保管庫１００を開く。その後は、カメラ２００、診療用測定器３００、端末４００及び緊急医療品収納箱６００を取り出す。これにより、本第４実施形態においても、多数の災害者の緊急医療が可能となる。なお、端末４００は、外蓋１２０上におくようにすれば、便利である。
【０１４６】
なお、本発明の実施にあたり、上記各実施形態に限ることなく、次のような種々の変形例が挙げられる。
（１）上記各実施形態にて述べた保管庫は、診療装置ではなく、例えば、金庫のような重要な物を保管する保管庫として利用してもよく、また、コンピュータ及びデータディスクの保管庫として利用してもよい。
（２）上記各実施形態にて述べた外側筐体、外蓋の枠体及び外壁部は、桐に代えて、杉などの桐と同様の特性を有する木材でもって形成するようにしてもよい。なお、難燃性確保の点から、杉などの桐と同様の特性を有する木材にメタルシリコン系難燃溶液を含浸することが望ましい。
（３）上記第１〜第３の実施形態にて述べた内側筐体は、杉に代えて、桐或いは杉と同様の特性を有する木材でもって形成してもよい。
（４）上記各実施形態にて述べた桐板は、１２ｍｍの板厚のものに限らず、必要に応じ適宜変更採用してもよい。
（５）上記各実施形態にて述べた中側筐体及び外蓋の中壁部は、鉄板に限らず、この鉄板と同様の特性を有する金属板でもって形成するようにしてもよい。
【０１４７】
また、鉄板の板厚は、１．２ｍｍに限らず、例えば、１ｍｍ〜１．２ｍｍの範囲以内の値でもよく、また、これに限らず、必要に応じて適宜変更してもよい。
（６）上記各実施形態にて述べた保管庫の各筐体及び枠体の外周形状は、四角形状に限ることなく、例えば、５角形状や円筒形状等に適宜変更してもよい。
（７）上記各実施形態において、メタルシリコン系難燃溶液に代えて、この難燃溶液と同様の難燃特性を有する溶液を採用してもよい。
（８）上記各実施形態において、保管庫の高さは、約５０ｃｍに限ることなく、可搬性を満たす範囲で適宜変更してもよい。
【図面の簡単な説明】
【０１４８】
【図１】本発明が適用される可搬式診療装置の第１実施形態を示す正面図である。
【図２】上記第１実施形態における可搬式診療装置の部分破断平面図である。
【図３】上記第１実施形態における可搬式診療装置の左側面図である。
【図４】図２の４−４線に沿う部分破断断面図である。
【図５】図２の５−５線に沿う部分断面図である。
【図６】図２の６−６線に沿う部分断面図である。
【図７】上記第１実施形態において可搬式診療装置を使用可能状態を説明するための正面図である。
【図８】上記第１実施形態において可搬式診療装置の使用可能状態を示す平面図である。
【図９】上記第１実施形態において可搬式診療装置の使用可能状態を示す左側面図である。
【図１０】本発明が適用される可搬式診療装置の第２実施形態の要部を示す部分断面図である。
【図１１】上記第２実施形態における可搬式診療装置の上部左側部位を正面側から見た部分断面図である。
【図１２】上記第２実施形態における可搬式診療装置の上部正面側部位を左側から見た部分断面図である。
【図１３】上記第２実施形態における可搬式診療装置の使用可能状態を示す部分断面図である。
【図１４】本発明の第３実施形態における可搬式診療装置の部分断面図である。
【図１５】上記第３実施形態における可搬式診療装置の上部左側部位を正面側から見た部分断面図である。
【図１６】上記第３実施形態における可搬式診療装置の部分左側面図である。
【図１７】上記第３実施形態における可搬式診療装置の使用可能状態を示す部分断面図である。
【図１８】本発明の第４実施形態の要部を示す部分断面図である。
【符号の説明】
【０１４９】
１００…保管庫、１１０…保管庫本体、１１０ａ、１１０ｅ、１１０ｈ…外側筐体、
１１０ｂ、１１０ｆ、１１０ｉ…中側筐体、
１１０ｃ、１１０ｇ、１１０ｊ…内側筐体、１１０ｄ…キャスター、１２０…外蓋、
１２０ａ、１２０ｄ〜１２０ｆ…枠体、１２０ｂ…蓋壁、１２４…内壁部、
１２５…中壁部、１２６…外壁部、１３０、１６０…内蓋、１５０…支持体、
３００…診療用測定器、４００…端末、５００…電源。
【図１】
2007085008.tif 000003
【図２】
2007085008.tif 000004
【図３】
2007085008.tif 000005
【図４】
2007085008.tif 000006
【図５】
2007085008.tif 000007
【図６】
2007085008.tif 000008
【図７】
2007085008.tif 000009
【図８】
2007085008.tif 000010
【図９】
2007085008.tif 000011
【図１０】
2007085008.tif 000012
【図１１】
2007085008.tif 000013
【図１２】
2007085008.tif 000014
【図１３】
2007085008.tif 000015
【図１４】
2007085008.tif 000016
【図１５】
2007085008.tif 000017
【図１６】
2007085008.tif 000018
【図１７】
2007085008.tif 000019
【図１８】
2007085008.tif 000020